(57)【特許請求の範囲】
【請求項１】
光源を収容し、前面に光源からの光を外部へ照射する照射開口が設けられた器具本体と；
器具本体の前面周辺部に取り付けられる複数のバンドア取付部と；
それぞれバンドア取付部に取り付けられる基端側バンドアおよびこの基端側バンドアの先端側に折り畳み可能に連結される先端側バンドアを有し、これら基端側バンドアおよび先端側バンドアを展開した伸長状態では、基端側バンドアと先端側バンドアとの一部が重なり合うとともに、伸長状態での基端から先端までの長さが基端側バンドアの基端から対向する他の基端側バンドアの基端までの距離より長い状態となり、基端側バンドアおよび先端側バンドアを折り畳んだ収縮状態での基端から先端までの長さが基端側バンドアの基端から対向する他の基端側バンドアの基端までの距離より短い状態となる複数のバンドアと；
を具備していることを特徴とする照明器具。
【発明の詳細な説明】
【技術分野】
【０００１】
本発明の実施形態は、バンドアを備えた照明器具に関する。
【背景技術】
【０００２】
従来、例えば、スタジオや舞台などの照明用として、光源からの光を照射する範囲を制限するためのバンドア装置を備えたスポットライトなどの照明器具が用いられている（特許文献１参照）。特に、スポットライトでは、光の照射の必要のない場所について、バンドア装置によって遮光し、影の形が明確に投影されることにより演出上好ましい明確な遮光効果が得られるようにしている。
【０００３】
バンドア装置は、照明器具の照射開口が設けられる前面周辺部の例えば上下左右にそれぞれ取り付けられるバンドアを備えている。これらバンドアは、照明器具の前面側に折り畳む状態を考慮して、照明器具に取り付けられる基端から照明器具より突出する先端までの長さが、対向するバンドアが取り付けられている部分までの距離より短くなっている。そして、これらバンドアを照明器具の照射開口からの光の照射領域に侵入させて光を遮光することにより、光を照射する範囲を制限する。
【先行技術文献】
【特許文献】
【０００４】
【特許文献１】特許第３００２１９３号公報
【発明の概要】
【発明が解決しようとする課題】
【０００５】
光源がハロゲンランプなどの場合、バンドア装置によって明確な遮光効果が得られるが、光源が複数のＬＥＤ素子を用いた発光モジュールや複数の蛍光灯などの場合、光の照射面において、バンドアで完全に遮光されない明部とバンドアで完全に遮光される暗部との間で比較的広い範囲に亘って明るさが徐々に変化するグラデーション領域が生じ、明確な遮光効果が得られない問題がある。
【０００６】
これは、バンドア装置による遮光効果は、バンドア自体の大きさと照射側から見たみかけ上の光源の発光面積に比例するためで、光源がハロゲンランプなどの場合には発光面積が小さいことから、明確な遮光効果が得られるが、光源が複数のＬＥＤ素子を用いた発光モジュールや複数の蛍光灯などの場合、発光面積が大きくなることから、光の照射面において、明部と暗部との間で比較的広い範囲に亘ってグラデーション領域が生じ、明確な遮光効果が得られなくなることによる。
【０００７】
本発明は、このような点に鑑みなされたもので、光源の発光面積が大きくても、明確な遮光効果が得られやすいバンドアを備えた照明器具を提供することを目的とする。
【課題を解決するための手段】
【０００８】
実施形態の照明器具は、光源を収容し、前面に光源からの光を外部へ照射する照射開口が設けられた器具本体と；器具本体の前面周辺部に取り付けられる複数のバンドア取付部と；それぞれバンドア取付部に取り付けられる基端側バンドアおよびこの基端側バンドアの先端側に折り畳み可能に連結される先端側バンドアを有し、これら基端側バンドアおよび先端側バンドアを展開した伸長状態では、基端側バンドアと先端側バンドアとの一部が重なり合うとともに、伸長状態での基端から先端までの長さが基端側バンドアの基端から対向する他の基端側バンドアの基端までの距離より長い状態となり、基端側バンドアおよび先端側バンドアを折り畳んだ収縮状態での基端から先端までの長さが基端側バンドアの基端から対向する他の基端側バンドアの基端までの距離より短い状態となる複数のバンドアと；を備える。
【発明の効果】
【０００９】
本発明によれば、バンドアの基端から先端までの長さが伸縮可能となっているため、バンドアを伸長させることにより、光源の発光面積が大きくても、明確な遮光効果を得られやすくでき、また、バンドアを収縮させることにより、バンドアをコンパクトにして収納しやすくできることが期待できる。
【図面の簡単な説明】
【００１０】
【図１】一実施形態を示すバンドア装置のバンドアを展開して伸長した照明器具の正面図である。
【図２】同上バンドア装置のバンドアの一部を折り畳んだ照明器具の正面図である。
【図３】同上バンドア装置による遮光効果を説明する説明図である。
【図４】同上バンドア装置に対する比較例を示すもので、バンドアの長さが短いバンドア装置による遮光効果を説明する説明図である。
【発明を実施するための形態】
【００１１】
以下、一実施形態を、図１ないし図４を参照して説明する。
【００１２】
図１ないし図４に示すように、照明器具11は、例えばスタジオや舞台などの照明に用いられるもので、光源12を収容し、この光源12からの光を照射する器具本体13と、この器具本体13から照射する光の範囲を調整するバンドア装置14を備えている。
【００１３】
光源12は、半導体発光素子を用いた平面形の発光モジュール17で構成されている。この発光モジュール17は、円板状の基板18の一面に半導体発光素子として複数のＬＥＤ素子が実装され、これら複数のＬＥＤ素子を覆って蛍光体層が形成されたＣＯＢ（Chip On Board）モジュールで構成されている。そして、例えば、ＬＥＤ素子は青色光を発し、蛍光体層はＬＥＤ素子が発した青色光によって励起されて主に黄色光を発する蛍光体を含有したシリコーン樹脂で形成され、これにより、蛍光体層の表面である平面状の発光面19から青色光と黄色光とが混色された白色系の光が放出される。発光面19は、略円形に形成されている。なお、発光モジュール17は、基板18の一面に、それぞれＬＥＤ素子が搭載された接続端子付きのＳＭＤ（Surface Mount Device）パッケージを複数実装したモジュールであってもよい。また、半導体発光素子は、ＬＥＤ素子に限らず、ＥＬ素子などでもよい。
【００１４】
また、器具本体13は、前面に円形の照射開口22を有する箱形に形成されている。器具本体13内には、照射開口22の内側に、発光面19が対向するように光源12が収容されている。なお、照射開口22には光源12からの光を投光するレンズが配置され、さらに必要に応じてレンズ面の近傍に拡散フィルタやカラーフィルタなどのフィルタが配置される。そして、器具本体13は、例えばスタジオや舞台などの天井に設置されるバトンに対して吊下げ支持される。
【００１５】
また、バンドア装置14は、器具本体13の照射開口22が形成された前面周辺部の上下左右にそれぞれ配置される複数のバンドア25、これらバンドア25の基端25aを支持して器具本体13に取り付けるバンドア取付部26を備えている。
【００１６】
バンドア25は、例えば金属製の平板で形成され、表面が黒色に塗装されている。バンドア25は、バンドア取付部26によって器具本体13に取り付けられる基端25aから、器具本体13より突出する先端25bまでの最大の長さL1が、対向する他のバンドア25の基端25aまでの距離L2より短い状態から長い状態に伸縮可能とし、基端25aから先端25bに向かって幅が狭くなる先細り形状に形成されている。
【００１７】
バンドア25は、長さ方向の中間部で基端側バンドア27と先端側バンドア28とに２分割され、これらがヒンジ29によって折り畳み可能に連結されている。連結された基端側バンドア27および先端側バンドア28を展開した伸長状態では、基端側バンドア27の外側に先端側バンドア28が配置され、これら基端側バンドア27と先端側バンドア28との一部が互いに重なり合うことにより、基端側バンドア27と先端側バンドア28との間に隙間が生じないようにしてバンドア25からの光漏れを防止している。バンドア25の長さ方向に対応した基端側バンドア27および先端側バンドア28の長さは、対向する他のバンドア25の基端25aまでの距離L2より短い。また、ヒンジ29自体あるいは基端側バンドア27と先端側バンドア28との連結部分には、基端側バンドア27と先端側バンドア28との回動調整を許容するとともに、回動調整した位置で保持するように保持手段を備えている。
【００１８】
したがって、バンドア25は、長さ方向に基端側バンドア27および先端側バンドア28を展開した伸長状態と、基端側バンドア27と先端側バンドア28とを２つに折り畳んだ収縮状態とに変形可能とし、伸長状態での基端25aから先端25bまでの長さL1と収縮状態での基端25aから先端25cまでの長さL3とに伸縮可能としている。伸長状態での基端25aから先端25bまでの長さL1は対向する他のバンドア25の基端25aまでの距離L2より長い状態となり、収縮状態での基端25aから先端25cまでの長さL3は対向する他のバンドア25の基端25aまでの距離L2より短い状態となる。
【００１９】
バンドア取付部26は、各バンドア25の基端25aを回動可能に支持する支持軸32を有し、この支持軸32が器具本体13の前面周辺部の上下左右にそれぞれ配置されるように四角形枠状に形成され、この支持軸32が図示しない取付部材によって器具本体13の前端部に取り付けられている。また、バンドア取付部26は、各バンドア25を、支持軸32を中心として回動調整可能とするとともに、回動調整した位置で保持する保持手段を備えている。
【００２０】
次に、照明器具11の作用を説明する。
【００２１】
図３に示すように、光源12の複数のＬＥＤ素子の点灯により、光源12の略円形の発光面19から出射する光35が器具本体13の照射開口22を通過して照射面36に照射される。
【００２２】
図１に示すように、バンドア装置14の各バンドア25をそれぞれ展開して伸長状態とし、これらバンドア25を器具本体13の前面域に対して外側または内側に開閉することにより、照射面36に対して光35を照射する範囲を調整できる。すなわち、図３に示すように、光35の照射範囲を狭くする場合には、バンドア25を内側に閉じ、器具本体13の照射開口22を通じて光35が放出される領域内に進入させて光35を遮る。また、光35の照射範囲を広くする場合には、バンドア25を外側に開き、器具本体13の照射開口22を通じて光35が放出される領域から後退させて光35を遮るのを少なくしたり無くしたりする。
【００２３】
このとき、図３に示すように、照射面36において、バンドア25で完全に遮光されない明部とバンドア25で完全に遮光される暗部との間で比較的広い範囲に亘ってグラデーション領域が生じる。
【００２４】
これは、上述したように、バンドア装置14による遮光効果は、バンドア25自体の大きさと照射側から見たみかけ上の光源12の発光面積に比例するためで、光源12の発光面積が大きいと、照射面36において、明部と暗部との間にグラデーション領域が生じる。
【００２５】
図４には、バンドア25の基端25aから、器具本体13より突出する先端（25c）までの長さが、対向する他のバンドア25の基端25aまでの距離L2より短い場合の比較例であって、例えば、バンドア25を２つに折り畳んだ長さL3とする。
【００２６】
図３と図４とでは、比較のために、図３に示すバンドア25の先端25bを通る光源12の発光面19からの中心線37の角度と、図３に示すバンドア25の先端25cを通る中心線37の角度とが同一条件となる遮光状態としている。
【００２７】
そして、図４に示すように、バンドア25の長さL3で、短い場合には、照射面36において、明部と暗部との間に発生するグラデーション領域の範囲が広く、バンドア25の遮光による影が明確に投影されず、明確な遮光効果が得られない。
【００２８】
それに対して、図３に示すように、バンドア25の長さL1で、長い場合には、照射面36において、明部と暗部との間に発生するグラデーション領域の範囲が狭くなり、バンドア25の遮光による影が明確に投影され、明確な遮光効果を得られる。
【００２９】
これは、光源12の発光面19からバンドア25の先端25b，25cまでの距離L4が長い方が、明確な遮光効果が得られることを意味している。
【００３０】
このように、本実施形態のバンドア装置14によれば、バンドア25の基端25aから先端25bまでの長さL1が、対向する他のバンドア25の基端25aまでの距離L2より長いため、光源12の発光面積が大きくても、明確な遮光効果を得られやすくできる。
【００３１】
また、バンドア25は、基端25aから先端25bまでの長さを伸縮可能としているため、照明器具11を使用しない場合には、バンドア25を対向する他のバンドア25の基端25aまでの距離L2より短い収縮状態とし、コンパクトにして器具本体13の前面側に収納配置でき、他の照明器具やバトンなどとの干渉を防止できる。
【００３２】
すなわち、図２に示すように、バンドア25の先端側バンドア28をヒンジ29にて基端側バンドア27の内側に折り畳み、さらに、この折り畳んだバンドア25を器具本体13の前面側に交互に折り畳むことにより、バンドア25をコンパクトにして器具本体13の前面側に収納配置できる。
【００３３】
なお、グラデーション領域を広くすることが好ましいような光の演出を行う場合には、バンドア25を２つに折り畳んで短くした状態で使用することもできる。
【００３４】
また、バンドア25は、連結された基端側バンドア27および先端側バンドア28を展開した伸長状態では、基端側バンドア27の外側に先端側バンドア28が配置され、これら基端側バンドア27と先端側バンドア28との一部が互いに重なり合うことにより、基端側バンドア27と先端側バンドア28との間に隙間が生じないようしてバンドア25からの光漏れを防止できる。
【００３５】
なお、バンドア25の伸縮構造は、折り畳み構造に限らず、スライド構造を用いてもよい。このように、バンドア25がスライドによって伸縮する場合には、バンドア25の長さを任意に調整でき、光の演出に応じて遮光効果を調整できる。
【００３６】
また、バンドア25は、長さ方向に２分割するのに限らず、３分割以上に分割して伸縮可能としてもよい。
【００３７】
また、照明器具11の照射開口22が形成される前端形状、およびその照明器具11の前端に取り付けられるバンドア取付部26の形状は、円形、正方形、長方形のいずれでもよい。
【００３８】
また、光源としては、発光モジュール17に限らず、複数本の直管形の蛍光灯を平面状に配列したり、平面状に屈曲した蛍光灯でもよく、全体として平面状となる発光面を有する光源を用いてもよい。また、光源としてハロゲンランプを用いてもよい。
【００３９】
また、光源の平面状の発光面が長手方向と短手方向とを有する場合には、少なくとも長手方向に対応して配置するバンドアについて前記実施形態のように構成すれば、明確な遮光効果を得られやすくできる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
11    照明器具
12    光源
13    器具本体
22    照射開口
25    バンドア
25a   基端
25b   先端
26    バンドア取付部
27 基端側バンドア
28 先端側バンドア
【図１】
0005565575.tif 000002
【図２】
0005565575.tif 000003
【図３】
0005565575.tif 000004
【図４】
0005565575.tif 000005